(57)【特許請求の範囲】
【請求項１】
糊代片、天板、後面側壁パネル、底板、前面側壁パネルがこの順に折線を介して一列に連接され、前記前面側壁パネルと後面側壁パネルのそれぞれの両側に折線を介して主折り返し片が連接され、前記天板と底板のそれぞれの両側に折線を介して副折り返し片が連接されたカートンブランクからなり、前記糊代片に、前記天板との間の折線を介して前記天板に連接された開封片を切断線によって形成し、前記天板に、一端が前記切断線に連続し、互いに間隔を保って他端が前記後面側壁パネルとの間の折線に達し、表面側からハーフカットされた一対の第１ハーフカット線と、前記第１ハーフカット線より内側に位置し、一端が前記第１ハーフカット線の一端に交わり、前記第１ハーフカット線と間隔を保って他端が前記後面側壁パネルとの間の折線に達し、裏面側からハーフカットされた一対の第２ハーフカット線とを設け、前記前面側壁パネルに接着された前記開封片を前記前面側壁パネルから分離するための分離手段を前記前面側壁パネルに表面側からハーフカットされた第３ハーフカット線によって区画形成された層間剥離可能な領域によって形成し、前記領域に前記前面側壁パネルの上縁と平行にのびる折り曲げ線を設けたことを特徴とする密封カートン。
【請求項２】
前記前面側壁パネルにおける前記開封片と重なり合う部位の上縁に切欠きを設けたことを特徴とする請求項１に記載の密封カートン。
【発明の詳細な説明】
【０００１】
【発明の属する技術分野】
本発明は、粉末洗剤等を収納し、開封後にリクローズ可能な密封カートンに関するものである。
【０００２】
【従来の技術】
粉末洗剤等を収納するためのカートンは、防湿性、内容物の飛散防止性、内容物の取り出し易さ等が要求され、板紙等からなるカートンブランクによって形成された直方体状のものが一般に使用されている。
【０００３】
その一例として、図６（ａ）に示すように、胴部１０２の上端開口を、グラシン紙等のシール性を有するシート１０３でトップシールして防湿性と内容物の飛散防止性を与え、上端開口の一縁にヒンジを介して開閉可能に連結された蓋体１０４を取り付けたカートン１０１（以下、従来例１という）を挙げることができる。
【０００４】
また、実公平７−１４１８８号公報には、図６（ａ）のものと同様の蓋体を有しているが、トップシールを行わず、開口辺を延長し、内側に折り込まれたフラップを蓋体の天板に接着させ、開封時に開口辺に沿って設けられた二重のハーフカット線でフラップを天板から切り離すようにしたカートン（以下、従来例２という）が開示されている。
【０００５】
一方、特公平７−２９６５３号公報には、カートンのシールエンドのメインフラップを帯状の引き裂き片で胴部から切り離し、次にサイドフラップを二重の弱め線で切り離して開口するようにしたカートン（以下、従来例３という）が開示されている。
【０００６】
さらに、別の実用例として、図６（ｂ）に示すように、二重の胴部１０７の外壁パネルのみを帯状の引き裂き片１０６を水平に引き裂いて取り除くことにより、胴部１０７と蓋体１０８に分離し、直ちに内容物を取り出せるようにしたカートン１０５（以下、従来例４という）を挙げることができる。
【０００７】
【発明が解決しようとする課題】
しかしながら、従来のカートンは、構造的に複雑で、包装資材や製造工数が増加してコストアップを招いているという問題を有している。また、従来例１、３のカートンは、開封作業が煩わしく、老人やハンディキャップのある人には開封しにくいという問題を有している。さらに、従来例１、３、４のカートンは、トップシール部材や引き裂き片等が切り離されてゴミが発生するという問題を有している。
【０００８】
本発明は上記のような問題点を解決するためになされたものであって、安価に製造することができ、簡単な操作で容易に開封することができ、開封時にゴミを発生させることがなく、しかもリクローズ性に優れた密封カートンを提供することにある。
【０００９】
【課題を解決するための手段】
上記目的を達成するために、本発明に係る密封カートンは、糊代片、天板、後面側壁パネル、底板、前面側壁パネルがこの順に折線を介して一列に連接され、前記前面側壁パネルと後面側壁パネルのそれぞれの両側に折線を介して主折り返し片が連接され、前記天板と底板のそれぞれの両側に折線を介して副折り返し片が連接されたカートンブランクからなり、前記糊代片に、前記天板との間の折線を介して前記天板に連接された開封片を切断線によって形成し、前記天板に、一端が前記切断線に連続し、互いに間隔を保って他端が前記後面側壁パネルとの間の折線に達し、表面側からハーフカットされた一対の第１ハーフカット線と、前記第１ハーフカット線より内側に位置し、一端が前記第１ハーフカット線の一端に交わり、前記第１ハーフカット線と間隔を保って他端が前記後面側壁パネルとの間の折線に達し、裏面側からハーフカットされた一対の第２ハーフカット線とを設け、前記前面側壁パネルに接着された前記開封片を前記前面側壁パネルから分離するための分離手段を前記前面側壁パネルに表面側からハーフカットされた第３ハーフカット線によって区画形成された層間剥離可能な領域によって形成し、前記領域に前記前面側壁パネルの上縁と平行にのびる折り曲げ線を設けたことを特徴とするものである。
【００１０】
なお、再開封を容易にするために、前記前面側壁パネルにおける前記開封片と重なり合う部位の上縁に切欠きを設けることが好ましい。
【００１３】
【発明の実施の形態】
以下、本発明の具体的な実施形態を図面を参照しながら説明する。
図１は本発明の一実施形態である密封カートンを構成するカートンブランクの展開図である。
【００１４】
図１に示すように、カートンブランク１は、糊代片２、天板３、後面側壁パネル４、底板５、前面側壁パネル６がこの順に折線ａ〜ｄを介して一列に連接されている。後面側壁パネル４の両側には折線ｅ、ｆを介して主折り返し片４Ｌ、４Ｒが連接され、前面側壁パネル６の両側には折線ｇ、ｈを介して主折り返し片６Ｌ、６Ｒが連接されている。また、天板３の両側には折線ｉ、ｊを介して副折り返し片３Ｌ、３Ｒが連接され、底板５の両側には折線ｋ、ｌを介して副折り返し片５Ｌ、５Ｒが連接されている。
【００１５】
糊代片２の中央部には、糊代片２の自由端側から天板３との間の折線ａに向かって外側に斜行した状態で形成された間欠切線からなる一対の切断線７Ｌ、７Ｒが設けられており、これによって天板３に折線ａを介して連接された台形状の開封片８が形成されている。なお、開封片８の先端は糊代片２の先端縁から突出して摘み部８ａを形成している。
【００１６】
天板３には、一端が内側に折れ曲がって切断線７Ｌ、７Ｒに連続し、それ以外の部分が副折り返し片３Ｌ、３Ｒとの間の折線ｉ、ｊと平行に延びて他端が後面側壁パネル４との間の折線ｂに達し、表面側からハーフカットされた一対の第１ハーフカット線９Ｌ、９Ｒと、第１ハーフカット線９Ｌ、９Ｒより内側に位置し、一端が第１ハーフカット線９Ｌ、９Ｒの一端に交わり、第１ハーフカット線９Ｌ、９Ｒの中間部分と平行に延びて他端が折線ｂに達し、裏面側からハーフカットされた一対の第２ハーフカット線１０Ｌ、１０Ｒとが設けられている。なお、第１及び第２ハーフカット線９Ｌ、９Ｒ、１０Ｌ、１０Ｒの深さはカートンブランクに使用される板紙の中間層にまで達していることが望ましい。
【００１７】
前面側壁パネル６の上端中央部には、両端が前面側壁パネル６の上縁に交わり表面側からハーフカットされた第３ハーフカット線１１によって、前記開封片８よりわずかに小さい台形状の領域１２が区画形成されており、この領域１２の上縁中央部には、指先が入る大きさの半円形の切欠き１３が設けられている。また、領域１２の表面には、前面側壁パネル６の上縁と平行にのびる複数本の折り曲げ線１４が設けられている。折り曲げ線１４は、例えばハーフカット線、罫線、間欠切線等によって形成することができる。
【００１８】
糊代片２の裏面側には、その先端縁から間隔をおいて、該先端縁と平行にホットメルト接着剤層１５が帯状に塗布されている。このホットメルト接着剤層１５は、糊代片２を前面側壁パネル６の上端部に重ね合わせたときに、二点鎖線で示すように、ホットメルト接着剤層１５の下縁が領域１２の底辺とほぼ一致するように設けられている。
【００１９】
以上のカートンブランク１を使用した密封カートンの成形、充填、シールは次のようにして行われる。
まず、サック貼り機でカートンブランク１を折線ｂ、ｄで山折りして糊代片２のホットメルト接着剤層１５を前面側壁パネル６の表面と接着させれば、折り畳まれたスリーブが得られる。折り畳まれたスリーブはこの状態でユーザに供給されて、ユーザの製函、充填機に一枚ずつ供給されて、両開放端部が上下になるようにスリーブ状に起こされ、下方の開放端部の副折り返し片に次いで主折り返し片が内側に折り曲げられ、主折り返し片同志が接着されて下方の開放端部が封閉される。そして、残りの開放端部から内容物を充填し、この開放端部を同様に封閉すれば、図２に示すような密封カートンが得られる。
【００２０】
次に、この密封カートンの使用方法について説明する。
開封片８の摘み部８ａを摘んで持ち上げると、開封片８が切断線７Ｌ、７Ｒに沿って糊代片２から切り取られるとともに、領域１２が層間剥離し、領域１２の表面側が層間剥離片１２ａとなり、開封片８に伴って前面側壁パネル６から分離する（図３参照）。なお、開封片８を持ち上げるときに層間剥離片１２ａが折り曲げ線１４で折れ曲がるため、剥離抵抗が小さく、開封片８をスムーズに持ち上げることができる。なお、図３に示すように、前面側壁パネル６には剥離跡１２ｂが残る。
【００２１】
さらに、開封片８を上方に持ち上げると、図３に示すように、天板３の前端のＰ、Ｐ点から天板３の中央部分３ａの両側縁が層間剥離し始め、層間剥離は折線ｂまで続き、天板３に開口部３ｄが形成される。天板３の中央部分３ａは折線ｂをヒンジとして開閉する蓋となり、開封片８を前面側壁パネル６の内側に差し込むことにより、図４に示すように、開口部３ｄを再封鎖することができる。
【００２２】
図５は天板２の断面模式図であり、（ａ）は図１のＡ−Ａ線断面図、（ｂ）は図３のＢ−Ｂ線断面図、（ｃ）は図３のＣ−Ｃ線断面図である。図５に示すように、第１、第２ハーフカット線９Ｌ、１０Ｌ間及び９Ｒ、１０Ｒ間に層間剥離が生じており、天板３の中央部分３ａと左側部分３ｂ、右側部分３ｃとは段差を持った形で切り離され、左側部分３ｂ、右側部分３ｃの内側の縁には帯状の層間剥離片１５Ｌ、１５Ｒが残る。これに対して、中央部分３ａの両側縁には帯状の剥離跡１６Ｌ、１６Ｒが残る。左側部分３ｂ及び右側部分３ｃに残っている層間剥離片１５Ｌ、１５Ｒは蓋となる中央部分３ａの落ち込みを防止し、また、再封鎖後に内容物をこぼれにくくする効果がある。
【００２３】
一般に手で積層部の層間剥離を生じさせる場合には、剥離の生じる時点で一部の層の切断を伴うことにより抵抗を感じるものである。しかるに、本発明による密封カートンにおいては、第１及び第２ハーフカット線が交わる一点、すなわちＰ点から層間剥離が開始するので、瞬間的な抵抗を感じることなく、均一な力でスムーズに開封することができる。
【００２４】
なお、本実施形態では、開封片８を前面側壁パネル６から分離するため、前面側壁パネル６に第３ハーフカット線１１によって区画された領域１２を設け、開封片８を上方に持ち上げると領域１２が層間剥離して開封片８が前面側壁パネル６から分離するようにしているが、これに代えて、前面側壁パネル６における開封片８と重ね合わされる部位にＯＰニスコートを塗布し、ホットメルト、コールドグルー等の接着剤を該ＯＰニスコート面の範囲内でコートして開封片８を接着するようにしてもよい。このようにすると、開封片８を引っ張ったときに接着剤がＯＰニスコート面との界面で剥離して開封片８が容易に分離する。
【００２５】
【発明の効果】
以上説明したように、本発明の密封カートンは、開封片を上方に持ち上げるだけの単純な動作で、しかも弱い力で安定して開封することができる。また、使用する板紙の面積が従来のカートンに比べて少なく済み、包装資材を削減できるとともに、製造が極めて容易で、製造工数も少なく済み、さらに、既存の成形、充填ラインが僅かな手直しでそのまま使用でき、新規に設備投資する必要がないので、安価に製造することができる。また、開封時にゴミが発生せず、且つ１００％板紙製であるので、使用後の廃棄性あるいはリサイクル性が良好であり、環境上好ましい。また、開封片を前面側壁パネルの内側に差し込むだけで再封鎖することができ、かつ層間剥離した部分が互いに接することにより内容物が漏れるのを防止できるとともに防湿性も比較的良好に保たれるので、リクローズ性に優れている。
【００２６】
しかも、カートンブランクの表面側からハーフカットされた第３ハーフカット線によって区画形成された層間剥離可能な領域に、前面側壁パネルの上縁と平行にのびる折り曲げ線を設けたことにより、開封片を持ち上げるときに前記領域の層間剥離片が折れ曲がり、抵抗が少なくなるので、開封性が向上する。
【００２７】
請求項２によるときは、前面側壁パネルにおける開封片と重なり合う部位の上縁に切欠きを設けたことにより、この切欠きに指先を入れて開封片を持ち上げることができるので、再開封が容易となる。
【図面の簡単な説明】
【図１】  本発明の一実施形態である密封カートンのカートンブランクの展開図。
【図２】  図１のカートンブランクによって構成された密封カートンの斜視図。
【図３】  図２の密封カートンの開封状態を示す斜視図。
【図４】  図２の密封カートンのリクローズ状態を示す斜視図。
【図５】  天板の断面模式図。
【図６】  従来の密封カートンの斜視図。
【符号の説明】
１  カートンブランク
２  糊代片
３  天板
３Ｌ、３Ｒ、５Ｌ、５Ｒ  副折り返し片
４  後面側壁パネル
４Ｌ、４Ｒ、６Ｌ、６Ｒ  主折り返し片
５  底板
６  前面側壁パネル
７Ｌ、７Ｒ  切断線
８  開封片
９Ｌ、９Ｒ  第１ハーフカット線
１０Ｌ、１０Ｒ  第２ハーフカット線
１２  領域（分離手段）
【図１】
0003756240.tif 000002
【図２】
0003756240.tif 000003
【図３】
0003756240.tif 000004
【図４】
0003756240.tif 000005
【図５】
0003756240.tif 000006
【図６】
0003756240.tif 000007